(57)【要約】      （修正有）【課題】ノート型ＰＣに後付けすることによりノートＰＣの底面からの放熱の効率化と、本体部を操作しやすい傾斜した状態とすることが可能なＰＣスタンドを提供する。【解決手段】ＰＣスタンド１は、一面側に粘着層が形成されると共に、他面側に収容凹部２１が形成された薄板状の取付基板２と、取付基板２の収容凹部２１内に収容可能な開閉板３と、を備え、開閉板３は収容凹部２１内に軸支され、取付基板２に対して所定の角度まで起立して収容凹部２１から突出することが可能であることを特徴とする。【選択図】図２
0003219016.tif 000002
【実用新案登録請求の範囲】
【請求項１】
一面側に粘着層が形成されると共に、他面側に収容凹部が形成された薄板状の取付基板と、
前記取付基板の前記収容凹部内に収容可能な開閉板と、
を備え、前記開閉板は前記収容凹部内に軸支され、前記取付基板に対して所定の角度まで起立して前記収容凹部から突出することが可能であることを特徴とするＰＣスタンド。
【請求項２】
前記粘着層は両面テープからなることを特徴とする請求項１に記載のＰＣスタンド。
【請求項３】
前記開閉板の一面側に装飾部が設けられていることを特徴とする請求項１又は２に記載のＰＣスタンド。
【請求項４】
前記開閉板の他面側に記録媒体を収納可能な収納凹部が形成されていることを特徴とする請求項１乃至３の何れか１項に記載のＰＣスタンド。
【考案の詳細な説明】
【技術分野】
【０００１】
本考案は、ノート型ＰＣ（パーソナルコンピュータ）の底面に貼り付けて使用するＰＣスタンドに関するものである。
【背景技術】
【０００２】
近年、デスクトップ型ＰＣと比較して軽量で薄く、小型であり、携帯性に優れたノート型ＰＣが普及している。
【０００３】
一般的なノート型ＰＣは、キーボードやＣＰＵ（Ｃｅｎｔｒａｌ  Ｐｒｏｃｅｓｓｉｎｇ  Ｕｎｉｔ）等の主要な部品を有する薄い矩形の本体部と、薄板状のディスプレイ部とが、ヒンジを介して接続されて構成されている。
【０００４】
そして、使用者は本体部を机上に載置し、ディスプレイ部を、表示される文字や画像が見やすい任意の角度に開いてノート型ＰＣを使用する。
【０００５】
また、デスクトップ型ＰＣに用いられるキーボードの裏面には、キーボードを傾斜した状態にして使用しやすい角度を保てるよう、ＰＣスタンドが内蔵されている。このＰＣスタンドは、一般的に樹脂製であり、キーボードの本体部裏側の、使用時に使用者から遠い端部近傍に設けられた凹部内に軸支され収容可能となっている。ＰＣスタンドの使用時には、凹部内から立ち上げることで、キーボードの傾斜を所定の角度に保つことができる。
【考案の概要】
【考案が解決しようとする課題】
【０００６】
ノート型ＰＣでは、小さな筐体内に部品を高密度で組み込む必要があるため、各部品から発生する熱を外部に放熱する放熱機構を設けるために確保できるスペースがデスクトップ型ＰＣと比較して少なく、放熱の効率化が課題となっている。
【０００７】
具体的には、ノート型ＰＣの放熱は、本体部の内部に設けられた冷却ファンにより、本体部の周壁部に設けられた通風孔から本体部内の熱気を外部に放出することで行われる。しかし、ノート型ＰＣでは内蔵する冷却ファンの大型化は難しく、本体部の周壁部においても通風孔を形成可能なスペースは限られている。
【０００８】
一方、ノート型ＰＣを机上に載置して使用する場合には、ノート型ＰＣの机と接する面（底面）からの熱伝導によりノート型ＰＣの熱を机に放出することが可能であるが、ノート型ＰＣの使用に伴い机が加熱されてくるとこの底面からの放熱は行えなくなってしまう。そのため、本体部の底面からの放熱をより効率的かつ持続的に行うことができるようになれば好ましい。
【０００９】
また、ノート型ＰＣにおいてはディスプレイ部の角度は調節可能であるが、本体部の机上への載置角度は平坦であり、傾斜したものとすることができない。そのため、使用時に使用者がキーボードを操作する際、使用者が操作しやすいように、本体部を傾斜した状態とすることができれば好ましい。この目的のために、ノート型ＰＣの本体部の底面に、デスクトップ型ＰＣのキーボードに設けられたＰＣスタンドの同様のものを、その収容凹部と共に設けることが考えられる。しかし、本体部の底面にＰＣスタンドとその収容凹部を設けると、ノート型ＰＣの内部構造にも影響を与えてしまい、ノート型ＰＣの大型化につながる恐れがある。また、デスクトップ型ＰＣのキーボードと同様の樹脂製のＰＣスタンドをそのまま重量のあるノート型ＰＣに設けると、これを支持するための機械的強度が不十分であり、ＰＣの耐用年数まで耐えられず破損することが考えられる。
【００１０】
そこで、本考案は、上述した問題点に鑑みて案出されたものであり、従来のノート型ＰＣに後付けすることで、ノート型ＰＣの放熱の効率化と、本体部を傾斜した状態とすることが可能なＰＣスタンドを提供することを目的とする。
【課題を解決するための手段】
【００１１】
本考案者は、上述した課題を解決するために、ノート型ＰＣに後付けすることによりノートＰＣの底面からの放熱の効率化と、本体部を操作しやすい傾斜した状態とすることが可能なＰＣスタンドを考案した。
【００１２】
本考案に係るＰＣスタンドは、一面側に粘着層が形成されると共に、他面側に収容凹部が形成された薄板状の取付基板と、前記取付基板の前記収容凹部内に収容可能な開閉板と、を備え、前記開閉板は前記収容凹部内に軸支され、前記取付基板に対して所定の角度まで起立して前記収容凹部から突出することが可能であることを特徴とする。
【００１３】
上述した本考案に係るＰＣスタンドによると、粘着層をノート型ＰＣの底面の一端側（ディスプレイ部が軸支されている側の端部）近傍に貼り付けてＰＣスタンドをノート型ＰＣに取り付けた状態で開閉板を所定の角度に開くことで、ノート型ＰＣの本体部の一端側を机上から離間させ、本体部を机上に対して傾斜した状態とすることができる。これによりノート型ＰＣの底面から熱を大気中に効果的に放熱することができると共に、本体部を操作しやすい傾斜した状態とすることができる。
【００１４】
上述した本考案に係るＰＣスタンドにおいては、前記粘着層は両面テープとすることができる。これにより、ＰＣスタンドをノート型ＰＣに容易に取り付けることができる。
【００１５】
上述した本考案に係るＰＣスタンドにおいては、前記開閉板の一面側に装飾部が設けることができる。これにより、ＰＣスタンドの使用時に装飾部を周囲から視認可能とすることができる。この装飾部は、例えば企業の広告とすることができる。
【考案の効果】
【００１６】
上述した構成からなる本考案によれば、ノートＰＣの底面からの放熱の効率化と、本体部を操作しやすい傾斜した状態とすることを実現することができる。
【図面の簡単な説明】
【００１７】
【図１】本考案の実施形態に係るＰＣスタンドが閉じた状態を示す上方斜視図である。
【図２】本考案の実施形態に係るＰＣスタンドを開いた状態を示す上方斜視図である。
【図３】本考案の実施形態に係るＰＣスタンドの下方斜視図である。
【図４】本考案の実施形態に係るＰＣスタンドをノート型ＰＣに取り付けた状態を示す側面図である。
【図５】本考案の変形例に係るＰＣスタンドを示す上方斜視図である。
【考案を実施するための形態】
【００１８】
以下、本考案の実施の形態に係るＰＣスタンドについて詳細に説明する。図１は、本考案の実施形態に係るＰＣスタンド１は、が閉じた状態を示す上方斜視図である。図２は、本考案の実施形態に係るＰＣスタンド１を開いた状態を示す上方斜視図である。図３は、本考案の実施形態に係るＰＣスタンド１の下方斜視図である。
【００１９】
ＰＣスタンド１は、取付基板２と、開閉板３と、回転軸４と、装飾部５と、粘着層６とを備えて構成されている。
【００２０】
取付基板２は、薄板状で、一面側に粘着層６が形成されていると共に、他面側に収容凹部２１が形成されている。取付基板２の材料として樹脂や木材、金属等、種々のものを好適に用いることができるが、熱伝導性が高く、また機械的強度にも優れるアルミニウム等の金属を用いることが好ましい。
【００２１】
開閉板３は、取付基板２の収容凹部２１内に収容可能なサイズを有する薄板状の部材であり、取付基板２に対して回転軸４を介して開閉可能に取り付けられている。開閉板３の材料としても、樹脂や木材、金属等、種々のものを好適に用いることができるが、取付基板２と同様、放熱性と機械的強度に優れたアルミニウム等の金属を用いることが好ましい。開閉板３は、取付基板２に対して所定の角度（本実施形態においては９０度）まで起立することができる。当該角度まで起立した状態において、開閉板３は収容凹部２１の内周壁に当接した状態となり、それ以上の回転動作が規制される。この状態において、開閉板３は収容凹部２１の外部に突出し、装飾部５が外部に露出した状態となる。
【００２２】
回転軸４は、本実施形態においては機械的強度を有する金属製の棒状部材を想定しているが、本考案においてはこれに限らず、例えば取付基板２に孔部を２つ形成すると共に、開閉板３に当該孔部に挿通可能な径を有する円柱状の突起部を２つ形成し、孔部に突起部を挿入することで軸動可能としてもよい。
【００２３】
装飾部５は、開閉板３の表面であって、開閉板３が取付基板２の収容凹部２１内に収容された状態において外部に露出する面に形成されている。装飾部５には文字や絵等、任意の装飾を施すことができる。
【００２４】
本実施形態においては、装飾部５には模式的にＡＢＣＤＥの５つのアルファベットが描かれている。ＰＣスタンド１の使用時、すなわち、ＰＣスタンド１をノート型ＰＣの底面に取り付け、開閉板３を開くことにより、装飾部５を周囲から視認可能とすることができる。この装飾部５に例えば企業名やロゴ等、当該企業の広告を入れることで、ＰＣスタンド１を当該企業のノベルティグッズとすることができる。
【００２５】
粘着層６は、本実施形態においては両面テープにより形成されている。これによりＰＣスタンド１をノート型ＰＣに容易に取り付けることができる。なお、本考案においては粘着層６は両面テープに限らず、接着剤であってもよい。
【００２６】
次に、上述したＰＣスタンド１の使用方法について説明する。図４は、本考案の実施形態に係るＰＣスタンド１をノート型ＰＣ１０に取り付けた状態を示す側面図である。
【００２７】
ノート型ＰＣ１０は、本体部１０１及びディスプレイ部１０２が開閉可能に接続されて構成されている。本実施形態に係るＰＣスタンド１は、こうしたノート型ＰＣ１０の本体部１０１の底面であって本体部１０１及びディスプレイ部１０２の接続部分近傍に、２つ取り付けられて使用される。なお、図４においては紙面手前側にあるＰＣスタンド１しか図示されていないが、当該ＰＣスタンド１の紙面奥側にもう１つのＰＣスタンド１がある。また、本実施形態においては２つのＰＣスタンド１が用いられるが、本考案においてはこれに限らず、ノート型ＰＣ１０のサイズに応じて使用する個数を調節することができる。また、ＰＣスタンド１の長さについても、ノート型ＰＣ１０のサイズに応じて変更してもよい。ＰＣスタンド１の長手方向の長さは、例えば１０ｃｍとすることができる。
【００２８】
ノート型ＰＣ１０の底面にＰＣスタンド１の取付基板２を貼り付けてＰＣスタンド１の取り付けを行った後、ＰＣスタンド１の開閉板３を開くことで、図４に示すようにノート型ＰＣ１０の本体部１０１のディスプレイ部１０２側に開閉板３による脚部が形成される。
【００２９】
これにより、ノート型ＰＣ１０を机上に載置した場合には、当該脚部により本体部１０１が傾斜し、本体部１０１の底面と机の表面との間に間隙が形成される。こうしてノート型ＰＣの底面から熱を大気中に効果的に放熱することができると共に、本体部を操作しやすい傾斜した状態とすることができる。
【００３０】
また、ＰＣスタンド１の開閉板３を開いた状態において、開閉板３の一面側に設けられた装飾部５がディスプレイ部１０２側を向いた状態となる。これにより、ＰＣスタンドの使用時に装飾部５を周囲から視認可能とすることができ、装飾部５に記載された企業の広告等を周囲から視認可能とすることができる。
【００３１】
図５は、本考案の変形例に係るＰＣスタンド１’を示す上方斜視図である。変形例に係るＰＣスタンド１’の開閉板３の裏面（ＰＣスタンド１’を閉じた際に収容凹部２１内に隠れる面）には、ＵＳＢメモリやカード型の小型の記録媒体を収納可能な収納凹部７が設けられている。この収納凹部７に両面テープを用いてＵＳＢメモリやカード型等の小型の記録媒体を着脱可能に収容する。記録媒体の収容時、開閉板３を閉じると、記録媒体は取付基板２と開閉板３に挟まれた状態となり、脱落することがない。この収納凹部７のサイズは、収容したい記録媒体の数やサイズに合わせて適宜変更することができる。
【符号の説明】
【００３２】
１、１’  ＰＣスタンド
２  取付基板
３  開閉板
４  回転軸
５  装飾部
６  粘着層
７  収納凹部
１０  ノート型ＰＣ
２１  収容凹部
１０１  本体部
１０２  ディスプレイ部
【図１】
0003219016.tif 000003
【図２】
0003219016.tif 000004
【図３】
0003219016.tif 000005
【図４】
0003219016.tif 000006
【図５】
0003219016.tif 000007